(57)【要約】【課題】互いに対応づけて管理される複数の物品の対応づけを確実に管理する。【解決手段】ケース２３内に基板２１が収納されたユニット２０をＲＦＩＤラベル３０によって封印する際に、情報処理端末１０を用いて、基板２１に表示されたユニット２０のシリアル番号２２とＲＦＩＤラベル３０のＵＩＤとを合わせて暗号化して暗号化情報としてＲＦＩＤラベル３０に書き込んでおき、その後、情報処理端末１０を用いて、ＲＦＩＤラベル３０に書き込まれた暗号化情報を読み取って復号化し、復号化されたシリアル番号及びＲＦＩＤラベル３０のＵＩＤと、基板２１に表示されたユニット２０のシリアル番号及びＲＦＩＤラベル３０のＵＩＤとを照合する。【選択図】図１
2008013269.tif 000002
【特許請求の範囲】
【請求項１】
それぞれ固有の識別情報が付与されてなる複数の物品の対応づけを管理する物品管理システムであって、
前記複数の物品のうち少なくとも１つは、情報の書き込みが可能な情報記録媒体であり、
前記複数の物品にそれぞれ付与された識別情報を合わせて暗号化して暗号化情報として少なくとも１つの情報記録媒体に書き込む第１の情報処理端末と、
前記情報記録媒体から前記暗号化情報を読み取って復号化する第２の情報処理端末とを有する物品管理システム。
【請求項２】
請求項１に記載の物品管理システムにおいて、
前記第２の情報処理端末は、前記複数の物品の識別情報と、前記情報記録媒体から読み取って復号化した前記識別情報とを照合して照合結果を出力することを特徴とする物品管理システム。
【請求項３】
請求項１または請求項２に記載の物品管理システムにおいて、
前記第１の情報処理端末は、前記識別情報の暗号化を公開鍵暗号方式による秘密鍵を用いて行い、
前記第２の情報処理端末は、前記暗号化情報の復号化を公開鍵暗号方式による公開鍵を用いて行うことを特徴とする物品管理システム。
【請求項４】
請求項１乃至３のいずれか１項に記載の物品管理システムにおいて、
前記情報記録媒体は、該情報記録媒体固有の前記識別情報が書き込まれて情報の読み取りのみが可能な第１の記憶領域と、情報の書き込み及び読み取りが可能な第２の記憶領域とを有し、
前記第１の情報処理端末は、前記暗号化情報を前記第２の記憶領域に書き込むことを特徴とする物品管理システム。
【請求項５】
それぞれ固有の識別情報が付与され、少なくとも１つが情報の書き込みが可能な情報記録媒体である複数の物品の対応づけを管理する物品管理方法であって、
前記複数の物品にそれぞれ付与された識別情報を合わせて暗号化する処理と、
前記暗号化した識別情報を暗号化情報として少なくとも１つの情報記録媒体に書き込む処理と、
前記暗号化情報が書き込まれた情報記録媒体から該暗号化情報を読み取る処理と、
前記情報記録媒体から読み取った暗号化情報を復号化する処理とを有する物品管理方法。
【請求項６】
それぞれ固有の識別情報が付与されてなる複数の物品の対応づけを管理するための情報処理端末であって、
前記複数の物品の少なくとも１つであり、かつ情報の書き込みが可能な情報記録媒体から、前記識別情報が合わせて暗号化されて書き込まれた暗号化情報を読み取る情報読取部と、
前記情報読取部にて読み取った暗号化情報を復号化する復号化部とを有する情報処理端末。
【請求項７】
それぞれ固有の識別情報が付与されてなる複数の物品の対応づけを管理するための情報処理端末であって、
前記複数の物品にそれぞれ付与された識別情報を合わせて暗号化する暗号化部と、
前記暗号化した識別情報を暗号化情報として、前記複数の物品の少なくとも１つであり、かつ情報の書き込みが可能な情報記録媒体に書き込む情報書込部と、
前記暗号化情報が書き込まれた情報記録媒体から該暗号化情報を読み取る情報読取部と、
前記情報読取部にて読み取った暗号化情報を復号化する復号化部とを有する情報処理端末。
【請求項８】
請求項７に記載の情報処理端末において、
前記暗号化部は、前記識別情報の暗号化を公開鍵暗号方式による秘密鍵を用いて行い、
前記復号化部は、前記暗号化情報の復号化を公開鍵暗号方式による公開鍵を用いて行うことを特徴とする情報処理端末。
【請求項９】
請求項７または請求項８に記載の情報処理端末において、
前記情報書込部は、前記暗号化情報を、前記情報記録媒体が有する、該情報記録媒体固有の前記識別情報が書き込まれて情報の読み取りのみが可能な第１の記憶領域と、情報の書き込み及び読み取りが可能な第２の記憶領域とのうち、前記第２の記憶領域に書き込むことを特徴とする情報処理端末。
【請求項１０】
請求項６乃至９のいずれか１項に記載の情報処理端末において、
前記複数の物品の識別情報と、前記復号化部にて復号化した前記識別情報とを照合する照合部と、
前記照合部における照合結果を出力する出力部とを有することを特徴とする情報処理端末。
【請求項１１】
予め決められた固有情報が書き込まれ、識別情報が付与された少なくとも１つの物品と対応づけて管理される情報記録媒体であって、
対応づけられた物品に付与された識別情報と前記固有情報とが合わせて暗号化されて暗号化情報として書き込まれた情報記録媒体。
【請求項１２】
請求項１１に記載の情報記録媒体において、
前記暗号化情報が、公開鍵暗号方式による秘密鍵を用いて暗号化されていることを特徴とする情報記録媒体。
【請求項１３】
請求項１１または請求項１２に記載の情報記録媒体において、
当該情報記録媒体固有の前記識別情報が書き込まれて情報の読み取りのみが可能な第１の記憶領域と、
情報の書き込み及び読み取りが可能な第２の記憶領域とを有し、
前記暗号化情報が、前記第２の記憶領域に書き込まれたことを特徴とする情報記録媒体。
【請求項１４】
識別情報が付与された少なくとも１つの物品を管理する物品管理システムであって、
前記物品と対応づけられ、予め決められた固有情報が読み取り可能に書き込まれた情報記録媒体と、
前記情報記録媒体から前記固有情報を読み取り、該固有情報と、当該情報記録媒体に対応づけられた物品に付与された識別情報とを対応づけてデータベースに登録する情報処理端末とを有する物品管理システム。
【請求項１５】
請求項１４に記載の物品管理システムにおいて、
前記情報処理端末は、前記物品の識別情報と該物品に対応づけられた前記情報記録媒体の固有情報との対応づけと、前記データベースにおける前記物品の識別情報と前記情報記録媒体の固有情報との対応づけとを照合して照合結果を出力することを特徴とする物品管理システム。
【請求項１６】
識別情報が付与された少なくとも１つの物品を、予め決められた固有情報が書き込まれた情報記録媒体を前記物品に対応づけて管理する物品管理方法であって、
前記情報記録媒体から前記固有情報を読み取り、該固有情報と、当該情報記録媒体に対応づけられた物品に付与された識別情報とを対応づけてデータベースに登録する物品管理方法。
【請求項１７】
識別情報が付与された少なくとも１つの物品を、予め決められた固有情報が書き込まれた情報記録媒体を前記物品に対応づけて管理するための情報処理端末であって、
前記情報記録媒体から前記固有情報を読み取る情報読取部と、
前記情報記録媒体に対応づけられた物品に付与された識別情報が入力される入力部と、
前記情報読取部にて読み取られた固有情報と、前記入力部に入力された識別情報とを対応づけてデータベースに登録する通信部とを有する情報処理端末。
【発明の詳細な説明】
【技術分野】
【０００１】
本発明は、それぞれ固有の識別情報が付与されてなる複数の物品の対応づけを管理する物品管理システム、物品管理方法、情報処理端末及び情報記録媒体に関し、特に、複数の物品のうち少なくとも１つが情報記録媒体である物品管理システム、物品管理方法、情報処理端末及び情報記録媒体に関する。
【背景技術】
【０００２】
従来行われている遊技台ユニットの不正分解対策は、複数の物品の対応づけを管理する例の１つである。この遊技台ユニットの不正分解対策として、ユニットの接合部に封印シールを貼着しておき、この封印シールが剥離された痕跡を確認することにより、遊技台ユニットが不正に分解されたかどうかが判断されることが行われている。このような封印シールにおいては、剥離された痕跡を確認しやすいように、例えば、剥離方向に伸びた切り込みを入れる等、剥離された場合に封印シールが破壊されるような構造を有するもの等が考えられている。
【０００３】
また、近年においては、上述したような封印シールとして、非接触状態にて情報の書き込み及び読み取りが可能な非接触型ＩＣラベルが考えられている。非接触型ＩＣラベルは、表面にバーコード等が印字された封印ラベルと違い情報を書き込み可能なものであることから、例えば、封印すべき物品に付与された物品ＩＤ等の識別情報を書き込んでおくことにより、不正分解の判断についてその信頼性を高めることができる。このような非接触型ＩＣラベルにおいては、物品から剥離した場合にアンテナとＩＣチップとが破断して情報の書き込み及び読み取りを不可能とし、それにより、剥離されたことを確実に検出できるような構成としたものが考えられている（例えば、特許文献１参照。）。
【０００４】
このように、遊技台ユニットの不正分解対策においては、遊技台ユニットとそれに貼着された封印シールとの対応づけが利用されており、遊技台ユニットから封印シールが剥離された場合、すなわち、遊技台ユニットとそれに貼着された封印シールとの対応づけが解消された場合、遊技台ユニットが不正に分解されたと判断されることになる。
【０００５】
上述した非接触型ＩＣラベルのように非接触状態にて情報の書き込み及び読み取りが可能な非接触型情報記録媒体、いわゆるＲＦＩＤ（Radio Frequency Identification）においては、近年、上述したような封印ラベルに限らず、商品等の物品の在庫管理や物流状態の管理に用いられており、ラベル状あるいはタグ状のものとして物品に取り付けられ、物品に関する情報が書き込まれることにより物品が管理されることになる。すなわち、ＲＦＩＤを用いた一般的な物品管理においても、ＲＦＩＤと物品との対応づけが利用されていることになる。
【特許文献１】特開２０００−３３４１５４号公報
【発明の開示】
【発明が解決しようとする課題】
【０００６】
しかしながら、特許文献１に記載されたものにおいては、物品から非接触型ＩＣラベルが剥離された後、物品に関する情報が書き込まれた非接触型ＩＣラベルが新たに封印ラベルとして貼着された場合、物品の不正分解、すなわち、複数の物品の対応づけの改竄を検出することができないという問題点がある。
【０００７】
また、情報記録媒体を用いて物品を管理する場合においては、不正な情報が書き込まれた情報記録媒体が物品に取り付けられた場合、その不正に書き込まれた情報が物品を管理するための情報として取り扱われてしまい、例えば、食品の産地や流通経路が改ざんされてしまうという問題点がある。
【０００８】
本発明は、上述したような従来の技術が有する問題点に鑑みてなされたものであって、互いに対応づけて管理される複数の物品の対応づけを確実に管理することができる物品管理システム、物品管理方法、情報処理端末及び情報記録媒体を提供することを目的とする。
【課題を解決するための手段】
【０００９】
上記目的を達成するために本発明は、
それぞれ固有の識別情報が付与されてなる複数の物品の対応づけを管理する物品管理システムであって、
前記複数の物品のうち少なくとも１つは、情報の書き込みが可能な情報記録媒体であり、
前記複数の物品にそれぞれ付与された識別情報を合わせて暗号化して暗号化情報として少なくとも１つの情報記録媒体に書き込む第１の情報処理端末と、
前記情報記録媒体から前記暗号化情報を読み取って復号化する第２の情報処理端末とを有する。
【００１０】
また、前記第２の情報処理端末は、前記複数の物品の識別情報と、前記情報記録媒体から読み取って復号化した前記識別情報とを照合して照合結果を出力する構成とすることも考えられる。
【００１１】
上記のように構成された本発明においては、互いに対応づけて管理される複数の物品について、それぞれに付与された識別情報が合わせて暗号化され、複数の物品のうち情報の書き込みが可能な情報記録媒体に暗号化情報として書き込まれる。その後、複数の物品の対応づけを確認する場合は、情報記録媒体から暗号化情報が読み取られ、読み取られた暗号化情報が復号化されることにより、合わせて暗号化されて情報記録媒体に暗号化情報として書き込まれた識別情報が、複数の物品にそれぞれ付与されたものであるかどうかが確認されることになる。
【００１２】
また、識別情報が付与された少なくとも１つの物品を管理する物品管理システムであって、
前記物品と対応づけられ、予め決められた固有情報が読み取り可能に書き込まれた情報記録媒体と、
前記情報記録媒体から前記固有情報を読み取り、該固有情報と、当該情報記録媒体に対応づけられた物品に付与された識別情報とを対応づけてデータベースに登録する情報処理端末とを有する。
【００１３】
上記のように構成された本発明においては、識別情報が付与された物品に、予め決められた固有情報が読み取り可能に書き込まれた情報記録媒体が対応づけられ、この物品に付与された識別情報と情報記録媒体に書き込まれた固有情報とが対応づけられてデータベースに登録される。物品と情報記録媒体との対応づけは、データベースに登録された識別情報と固有情報との対応づけに基づいて確認される。
【発明の効果】
【００１４】
以上説明したように本発明においては、互いに対応づけて管理される複数の物品について、それぞれに付与された識別情報が合わせて暗号化され、複数の物品のうち情報の書き込みが可能な情報記録媒体に暗号化情報として書き込まれ、複数の物品の対応づけを確認する場合、情報記録媒体から暗号化情報が読み取られ、読み取られた暗号化情報が復号化される構成としたため、互いに対応づけて管理される複数の物品の対応づけを確実に管理することができる。
【００１５】
また、物品に付与された識別情報と、この物品に対応づけられた情報記録媒体の固有情報とをデータベースに対応づけて登録するものにおいても、同様の効果を奏する。
【発明を実施するための最良の形態】
【００１６】
以下に、本発明の実施の形態について図面を参照して説明する。
【００１７】
（第１の実施の形態）
図１は、本発明の物品管理システムの第１の実施の形態を示す図であり、（ａ）は全体の構成を示す図、（ｂ）は（ａ）に示した情報処理端末１０の構成を示すブロック図である。
【００１８】
本形態は図１に示すように、ケース２３内に基板２１が収納されたユニット２０の不正分解を検出するものであって、ケース２３の接合部に情報記録媒体であるＲＦＩＤラベル３０が貼着され、このＲＦＩＤラベル３０とユニット２０との対応づけを情報処理端末１０を用いて管理することにより、ユニット２０の不正分解を検出する。
【００１９】
ユニット２０は、接合部にて開口可能なケース２３内に基板２１が収納され、接合部が閉じられた状態で封印シールとしてＲＦＩＤラベル３０が貼着されている。ＲＦＩＤラベル３０は、非接触状態にて情報の書き込み及び読み取りがＩＣチップ（不図示）と、このＩＣチップに接続され、ＩＣチップが所定の周波数を用いて通信を行うためのアンテナ（不図示）とがラベル基材上に設けられて構成されている。なお、ＩＣチップには、ＲＦＩＤラベル３０の製造時にＲＦＩＤラベル３０固有となるＵＩＤ（Unique Identifier）が書き込まれている。また、アンテナを介しての通信方式は、１３．５６ＭＨｚの周波数帯を用いた電磁誘導方式や２．４５ＧＨｚの周波数帯を用いた電波方式等、適宜設定可能である。また、基板２１には、ユニット２０固有の識別情報となるシリアル番号２２がシルク印刷等によって表示されている。
【００２０】
情報処理端末１０は図１（ｂ）に示すように、操作部１１と、情報読取部１２と、暗号化部１３と、情報書込部１４と、復号化部１５と、鍵取得部１６と、照合部１７と、出力部１８とから構成されている。
【００２１】
操作部１１は、数字やアルファベットを入力可能な複数のキーボタンからなり、基板２１に表示されたユニット２０のシリアル番号２２を入力するためのものである。
【００２２】
情報読取部１２は、ＲＦＩＤラベル３０に書き込まれた情報を非接触状態にて読み取り可能なものであって、ＲＦＩＤラベル３０に書き込まれたＵＩＤや暗号化情報を読み取る。
【００２３】
暗号化部１３は、操作部１１に入力されたユニット２０のシリアル番号２２と、情報読取部１２にて読み取られたＲＦＩＤラベル３０のＵＩＤとを合わせて暗号化する。
【００２４】
情報書込部１４は、ＲＦＩＤラベル３０に対して非接触状態にて情報の書き込みが可能なものであって、暗号化部１３にて暗号化された情報を暗号化情報としてＲＦＩＤラベル３０に書き込む。
【００２５】
復号化部１５は、情報読取部１２にてＲＦＩＤラベル３０から読み取られた暗号化情報を復号化する。
【００２６】
鍵取得部１６は、暗号化部１３にて暗号化するための暗号キーや、復号化部１５にて暗号化情報を復号化するための復号キーを取得する。例えば、カード読取部からなり、カードに書き込まれた暗号キーや復号キーを読み取ることにより取得する。
【００２７】
照合部１７は、復号化部１５にて復号化されたユニット２０のシリアル番号２２、及びＲＦＩＤラベル３０のＵＩＤと、操作部１１に入力されたユニット２０のシリアル番号２２、及び情報読取部１２にて読み取られたＲＦＩＤラベル３０のＵＩＤとを照合する。
【００２８】
出力部１８は、照合部１７における照合結果を表示出力する。
【００２９】
以下に、上記のように構成された物品管理システムを用いた物品管理方法であるユニット２０の不正分解検出方法について説明する。
【００３０】
まず、ユニット２０を組み立てる際の処理について説明する。
【００３１】
図２は、図１に示した物品管理システムにおいてユニット２０を組み立てる際の処理を説明するためのフローチャートである。
【００３２】
ユニット２０は、ケース２３内に基板２１が収納されることにより組み立てられる。その際、基板２１に表示されたユニット２０のシリアル番号２２を情報処理端末１０の操作部１１に入力する（ステップＳ１）。このシリアル番号２２は、ユニット２０毎に付与された固有の識別情報であって、基板２１に視認可能な状態で表示されている。
【００３３】
次に、基板２１が収納されたケース２３の接合部を閉じ、接合部にＲＦＩＤラベル３０を貼着してケース２３を封印するとともに、情報処理端末１０を用いてＲＦＩＤラベル３０のＵＩＤを読み取る（ステップＳ２）。この際、情報処理端末１０をＲＦＩＤラベル３０に翳すと、情報処理端末１０の情報読取部１２において、ＲＦＩＤラベル３０に書き込まれたＵＩＤが非接触状態にて読み取られることになる。
【００３４】
操作部１１に入力されたユニット２０のシリアル番号２２と、情報読取部１２にて読み取られたＲＦＩＤラベル３０のＵＩＤは暗号化部１３に与えられ、暗号化部１３において、操作部１１に入力されたユニット２０のシリアル番号２２と、情報読取部１２にて読み取られたＲＦＩＤラベル３０のＵＩＤとが合わせて暗号化される（ステップＳ３）。なお、暗号化部１３における暗号化は、鍵取得部１６にて取得された暗号キーを用いて行われる。暗号化部１３における暗号化のための暗号キーは、例えばカードによって供給される。そのカードには、暗号化部１３における暗号化のための暗号キーが書き込まれており、鍵取得部１６のカード読取部にてカードに書き込まれた暗号キーが読み取られることにより、鍵取得部１６にて暗号キーが取得される。暗号化部１３にて暗号化された情報は情報書込部１４に与えられる。この鍵取得部１６における暗号キーの取得は、暗号化部１３にてユニット２０のシリアル番号２２とＲＦＩＤラベル３０のＵＩＤとを合わせて暗号化する際に行ってもよいし、情報処理端末１０にて予め取得しておき、記憶しておいてもよい。
【００３５】
その後、情報処理端末１０をＲＦＩＤラベル３０に翳すと、情報処理端末１０の情報書込部１４において、暗号化部１３から与えられた情報が暗号化情報として非接触状態にてＲＦＩＤラベル３０に書き込まれる（ステップＳ４）。
【００３６】
図３は、図１に示したＲＦＩＤラベル３０の記憶領域の構成を示す図である。
【００３７】
図１に示したＲＦＩＤラベル３０の記憶領域は図３に示すように、ＲＦＩＤラベル３０のＵＩＤが書き込まれ、情報の読み取りのみが可能な第１の記憶領域３１と、情報の書き込み及び読み取りが可能な第２の記憶領域３２とから構成されており、情報処理端末１０から書き込まれた暗号化情報は、情報の書き込み及び読み取りが可能な記憶領域３２に書き込まれる。すなわち、ＲＦＩＤラベル３０に書き込まれる暗号化情報は、ＵＩＤとは異なる記憶領域に書き込まれることになる。
【００３８】
このようにして、ユニット２０を組み立てる際に、情報処理端末１０を用いて、基板２１に表示されたユニット２０のシリアル番号２２とＲＦＩＤラベル３０のＵＩＤとを合わせて暗号化し、暗号化情報としてＲＦＩＤラベル３０に書き込んでおく。
【００３９】
次に、ユニット２０の不正分解を確認する際の処理について説明する。
【００４０】
図４は、図１に示した物品管理システムにおいてユニット２０の不正分解を確認する際の処理を説明するためのフローチャートである。
【００４１】
ユニット２０の不正分解を確認する場合は、まず、情報処理端末１０をＲＦＩＤラベル３０に翳すと、情報処理端末１０の情報読取部１２において、ＲＦＩＤラベル３０に書き込まれた暗号化情報及びＵＩＤが非接触状態にて読み取られる（ステップＳ１１）。
【００４２】
情報読取部１２にてＲＦＩＤラベル３０から読み取られた暗号化情報は、情報処理端末１０の復号化部１５に与えられ、復号化部１５において、情報読取部１２にてＲＦＩＤラベル３０から読み取られた暗号化情報が復号化される（ステップＳ１２）。なお、復号化部１５における暗号化情報の復号化は、暗号化部１３における暗号化と同様に、鍵取得部１６にて取得された復号キーを用いて行われる。復号化部１５における復号化のための復号キーは、例えばカードによって供給される。そのカードには、復号化部１５における復号化のための復号キーが書き込まれており、鍵取得部１６のカード読取部にてカードに書き込まれた復号キーが読み取られることにより、鍵取得部１６にて復号キーが取得される。この鍵取得部１６における復号キーの取得は、復号化部１５にてＲＦＩＤラベル３０から読み取られた暗号化情報を復号化する際に行ってもよいし、情報処理端末１０にて予め取得しておき、記憶しておいてもよい。また、暗号化部１３にて暗号化するための暗号キーと復号化部１５にて復号化するための復号キーとは、共通鍵暗号方式による共通鍵を用いてもよいし、公開鍵暗号方式による秘密鍵及び公開鍵を用いてもよいが、鍵の管理の容易さの面から言えば、後者を用いることが好ましい。すなわち、暗号化部１３にて暗号化するための暗号キーとして公開鍵暗号方式による秘密鍵を用い、復号化部１５にて復号化するための復号キーとして、公開鍵暗号方式による公開鍵を用いることが好ましい。
【００４３】
ＲＦＩＤラベル３０から読み出された暗号化情報は、復号化部１５にて復号化されると、ユニット２０のシリアル番号２２とＲＦＩＤラベル３０のＵＩＤとなり、照合部１７に与えられる。
【００４４】
次に、基板２１に表示されたユニット２０のシリアル番号２２を情報処理端末１０の操作部１１に入力する（ステップＳ１３）。
【００４５】
これら操作部１１に入力されたユニット２０のシリアル番号２２と、ステップＳ１１において情報読取部１２にてＲＦＩＤラベル３０から読み取られたＵＩＤは照合部１７に与えられ、照合部１７において、復号化部１５から与えられたシリアル番号及びＵＩＤと、操作部１１及び情報読取部１２から与えられたシリアル番号及びＵＩＤとが照合される（ステップＳ１４）。
【００４６】
その後、照合部１７における照合結果が表示部１８に与えられ、表示出力される（ステップＳ１５）。この照合結果の表示出力は、例えば、復号化部１５から与えられたシリアル番号及びＵＩＤと、操作部１１及び情報読取部１２から与えられたシリアル番号及びＵＩＤとがそれぞれ一致している場合は両者が一致している旨を表示し、復号化部１５から与えられたシリアル番号及びＵＩＤと、操作部１１及び情報読取部１２から与えられたシリアル番号及びＵＩＤとが一致していない場合は両者が一致していない旨を表示することが考えられる。また、復号化部１５から与えられたシリアル番号及びＵＩＤと、操作部１１及び情報読取部１２から与えられたシリアル番号及びＵＩＤとを出力部１８にて表示してもよい。
【００４７】
ここで、ユニット２０が不正分解されていない場合は、ユニット２０には同一のＲＦＩＤラベル３０が貼着されているはずである。そのため、ＲＦＩＤラベル３０に暗号化情報として書き込まれたＵＩＤが復号化された場合、復号化されたＵＩＤは、ステップＳ１１にてＲＦＩＤラベル３０から読み取られたＲＦＩＤラベル３０のＵＩＤと一致することになる。また、同様に、ＲＦＩＤラベル３０に暗号化情報として書き込まれたシリアル番号が復号化された場合、復号化されたシリアル番号は、ステップＳ１３にて操作部１１に入力されたユニット２０のシリアル番号２２と一致することになる。一方、ユニット２０が不正分解された場合は、ユニット２０には異なるＲＦＩＤラベル３０が貼着されている。そのため、ユニット２０に新たに貼着されたＲＦＩＤラベル３０に、上記同様にしてユニット２０のシリアル番号２２を暗号化して書き込んだ場合であっても、ＲＦＩＤラベル３０に暗号化情報として書き込まれたＵＩＤが復号化された場合、復号化されたＵＩＤはステップＳ１１にてＲＦＩＤラベル３０から読み取られたＲＦＩＤラベル３０のＵＩＤとは一致しないことになる。
【００４８】
また、ユニット２０内の基板２１が不正に取り替えられていない場合は、ユニット２０内の基板２１に表示されたシリアル番号２２は同一となるはずである。そのため、ＲＦＩＤラベル３０に暗号化情報として書き込まれたシリアル番号が復号化された場合、復号化されたシリアル番号は、ステップＳ１３にて操作部１１に入力されたユニット２０のシリアル番号２２と一致することになる。一方、ユニット２０内の基板２１が不正に取り替えられた場合は、ユニット２０内の基板２１に表示されたシリアル番号２２は異なるものとなる。そのため、ユニット２０からＲＦＩＤラベル３０をきれいに剥離してそのＲＦＩＤラベル３０をユニット２０に再度貼着した場合であっても、ＲＦＩＤラベル３０に暗号化情報として書き込まれたシリアル番号が復号化された場合、復号化されたシリアル番号はステップＳ１３にて操作部１１に入力されたシリアル番号とは一致しないことになる。
【００４９】
このようにして、ケース２３内に基板２１が収納されたユニット２０をＲＦＩＤラベル３０によって封印する際に、情報処理端末１０を用いて、基板２１に表示されたユニット２０のシリアル番号２２とＲＦＩＤラベル３０のＵＩＤとを合わせて暗号化して暗号化情報としてＲＦＩＤラベル３０に書き込んでおき、その後、情報処理端末１０を用いて、ＲＦＩＤラベル３０に書き込まれた暗号化情報を読み取って復号化し、復号化されたシリアル番号及びＲＦＩＤラベル３０のＵＩＤと、基板２１に表示されたユニット２０のシリアル番号及びＲＦＩＤラベル３０のＵＩＤとを照合することにより、ユニット２０からＲＦＩＤラベル３０が剥離されてユニット２０が不正分解されたかどうかを検出することができる。すなわち、データベースやそのデータベースにアクセスするための通信インフラ等を構築することなく、情報処理端末１０のみで、ユニット２０とＲＦＩＤラベル３０との対応づけを管理することができる。
【００５０】
（第２の実施の形態）
図５は、本発明の物品管理システムの第２の実施の形態を示す図であり、（ａ）は全体の構成を示す図、（ｂ）は（ａ）に示した情報処理端末１１０の構成を示すブロック図である。
【００５１】
本形態は図５に示すように、ケース２３ａ〜２３ｃ内に基板２１ａ〜２１ｃがそれぞれ収納されたユニット２０ａ〜２０ｃの不正分解、及びこのユニット２０ａ〜２０ｃが取り付けられた遊技台４０に対するユニット２０ａ〜２０ｄの不正取替えを検出するものであって、ケース２３ａ〜２３ｃの接合部に情報記録媒体であるＲＦＩＤラベル３０ａ〜３０ｃがそれぞれ貼着されるとともに、遊技台４０には遊技台４０固有の識別情報となるバーコード情報４１が印刷やバーコードラベルによって表示され、このＲＦＩＤラベル３０ａ〜３０ｃとユニット２０ａ〜２０ｃと遊技台４０との対応づけを情報処理端末１１０を用いて管理することにより、ユニット２０ａ〜２０ｃの不正分解、及び遊技台４０に対するユニット２０ａ〜２０ｄの不正取替えを検出する。
【００５２】
ユニット２０ａ〜２０ｃはそれぞれ、第１の実施の形態に示したユニット２０と同様に、接合部にて開口可能なケース２３ａ〜２３ｃ内に基板２１ａ〜２１ｃが収納され、接合部が閉じられた状態で封印シールとしてＲＦＩＤラベル３０ａ〜３０ｃが貼着されている。また、基板２１ａ〜２１ｃには、ユニット２０ａ〜２０ｃ固有の識別情報となるシリアル番号２２ａ〜２２ｃが表示されている。
【００５３】
情報処理端末１１０は図５（ｂ）に示すように、第１の実施の形態に示した情報処理端末１０に対して、バーコード読取部１９が設けられている点のみが異なるものである。
【００５４】
バーコード読取部１９は、遊技台４０に表示されたバーコード情報４１を読み取るものである。
【００５５】
以下に、上記のように構成された物品管理システムを用いた物品管理方法である、ユニット２０ａ〜２０ｃの不正分解、及び遊技台４０に対するユニット２０ａ〜２０ｄの不正取替えを検出する方法について説明する。
【００５６】
まず、ユニット２０ａ〜２０ｃ及び遊技台４０を組み立てる際の処理について説明する。
【００５７】
図６は、図５に示した物品管理システムにおいてユニット２０ａ〜２０ｃ及び遊技台４０を組み立てる際の処理を説明するためのフローチャートである。
【００５８】
ユニット２０ａは、ケース２３ａ内に基板２１ａが収納されることにより組み立てられる。その際、基板２１ａに表示されたユニット２０ａのシリアル番号２２ａを情報処理端末１０の操作部１１にそれぞれ入力する（ステップＳ１０１）。このシリアル番号２２ａは、ユニット２０ａ毎に付与された固有の識別情報であって、基板２１ａに視認可能な状態で表示されている。
【００５９】
次に、基板２１ａが収納されたケース２３ａの接合部と閉じ、接合部にＲＦＩＤラベル３０ａを貼着してケース２３ａを封印するとともに、情報処理端末１１０を用いてＲＦＩＤラベル３０ａのＵＩＤを読み取る（ステップＳ１０２）。この際、情報処理端末１１０をＲＦＩＤラベル３０ａに翳すと、情報処理端末１１０の情報読取部１２において、ＲＦＩＤラベル３０ａに書き込まれたＵＩＤが非接触状態にて読み取られることになる。
【００６０】
次に、ＲＦＩＤラベル３０ａが貼着されたユニット２０ａが取り付けられる遊技台４０に表示されたバーコード情報４１を、情報処理端末１１０を用いて読み取る（ステップＳ１０３）。遊技台４０に表示されたバーコード情報４１は、遊技台４０のシリアル番号がバーコード表現されたものであるため、情報処理端末１１０のバーコード読取部１９においては、遊技台４０に表示されたバーコード情報４１が読み取られると、読み取られたバーコード情報４１がシリアル番号として認識される。
【００６１】
操作部１１に入力されたユニット２０ａのシリアル番号２２ａと、情報読取部１２にて読み取られたＲＦＩＤラベル３０ａのＵＩＤと、バーコード読取部１９にてバーコード情報４１として読み取られて認識された遊技台４０のシリアル番号は暗号化部１３に与えられ、暗号化部１３において、操作部１１に入力されたユニット２０ａのシリアル番号２２ａと、情報読取部１２にて読み取られたＲＦＩＤラベル３０ａのＵＩＤと、バーコード読取部１９にてバーコード情報４１として読み取られて認識された遊技台４０のシリアル番号とが合わせて暗号化される（ステップＳ１０４）。なお、暗号化部１３における暗号化は、第１の実施の形態にて示したものと同様に、鍵取得部１６にて取得された暗号キーを用いて行われる。
【００６２】
その後、情報処理端末１０をＲＦＩＤラベル３０ａに翳すと、情報処理端末１１０の情報書込部１４において、暗号化部１３から与えられた情報が暗号化情報として非接触状態にてＲＦＩＤラベル３０ａに書き込まれる（ステップＳ１０５）。なお、暗号化情報は、図３に示したものと同様に、ＲＦＩＤラベル３０ａのＵＩＤが書き込まれた記憶領域とは異なる記憶領域に書き込まれる。
【００６３】
上述した処理を、ユニット２０ａ〜２０ｃの全てについて行う。
【００６４】
このようにして、ユニット２０ａ〜２０ｃ及び遊技台４０を組み立てる際に、情報処理端末１１０を用いて、基板２１ａ〜２１ｃに表示されたユニット２０ａ〜２０ｃのシリアル番号２２ａ〜２２ｃと、遊技台４０に表示されたバーコード情報４１と、ＲＦＩＤラベル３０ａ〜３０ｃのＵＩＤとを合わせて暗号化し、暗号化情報としてＲＦＩＤラベル３０ａ〜３０ｃにそれぞれ書き込んでおく。
【００６５】
次に、ユニット２０ａ〜２０ｃの不正分解、及び遊技台４０に対するユニット２０ａ〜２０ｃの不正取替えを確認する際の処理について説明する。
【００６６】
図７は、図５に示した物品管理システムにおいてユニット２０ａ〜２０ｃの不正分解、及び遊技台４０に対するユニット２０ａ〜２０ｃの不正取替えを確認する際の処理を説明するためのフローチャートである。
【００６７】
ユニット２０ａ〜２０ｃの不正分解、及び遊技台４０に対するユニット２０ａ〜２０ｃの不正取替えを確認する場合は、まず、情報処理端末１１０をＲＦＩＤラベル３０ａに翳すと、情報処理端末１１０の情報読取部１２において、ＲＦＩＤラベル３０ａに書き込まれた暗号化情報及びＵＩＤが非接触状態にて読み取られる（ステップＳ１１１）。
【００６８】
情報読取部１２にてＲＦＩＤラベル３０ａから読み取られた暗号化情報は、情報処理端末１１０の復号化部１５に与えられ、復号化部１５において、情報読取部１２にてＲＦＩＤラベル３０ａから読み取られた暗号化情報が復号化される（ステップＳ１１２）。なお、復号化部１５における暗号化情報の復号化は、第１の実施の形態にて示したものと同様に、鍵取得部１６にて取得された復号キーを用いて行われる。
【００６９】
ＲＦＩＤラベル３０ａから読み出された暗号化情報は、復号化部１５にて復号化されると、ユニット２０ａのシリアル番号２２ａとＲＦＩＤラベル３０ａのＵＩＤと遊技台４０のバーコード情報４１として表示されたシリアル番号となり、照合部１７に与えられる。
【００７０】
次に、基板２１ａに表示されたユニット２０ａのシリアル番号２２ａを情報処理端末１１０の操作部１１に入力し（ステップＳ１１３）、また、情報処理端末１１０のバーコード読取部１９において、遊技台４０に表示されたバーコード情報４１を読み取る（ステップＳ１１４）。
【００７１】
これら操作部１１に入力されたユニット２０ａのシリアル番号２２ａと、ステップＳ１１１にて情報読取部１２にてＲＦＩＤラベル３０ａから読み取られたＵＩＤと、バーコード読取部１９にてバーコード情報４１として読み取られて認識された遊技台４０のシリアル番号は照合部１７に与えられ、照合部１７において、復号化部１５から与えられたユニットのシリアル番号、ＲＦＩＤラベルのＵＩＤ、及び遊技台のシリアル番号と、操作部１１及び情報読取部１２から与えられたユニットのシリアル番号、ＲＦＩＤラベルのＵＩＤ、及び遊技台のシリアル番号とが照合される（ステップＳ１１５）。
【００７２】
その後、照合部１７における照合結果が出力部１８に与えられ、表示出力される（ステップＳ１１６）。この照合結果の表示出力は、例えば、復号化部１５から与えられたユニットのシリアル番号、ＲＦＩＤラベルのＵＩＤ、及び遊技台のシリアル番号と、操作部１１及び情報読取部１２から与えられたユニットのシリアル番号、ＲＦＩＤラベルのＵＩＤ、及び遊技台のシリアル番号とがそれぞれ一致している場合は両者が一致している旨を表示し、復号化部１５から与えられたユニットのシリアル番号、ＲＦＩＤラベルのＵＩＤ、及び遊技台のシリアル番号と、操作部１１及び情報読取部１２から与えられたユニットのシリアル番号、ＲＦＩＤラベルのＵＩＤ、及び遊技台のシリアル番号とが一致していない場合は両者が一致していない旨を表示することが考えられる。また、復号化部１５から与えられたユニットのシリアル番号、ＲＦＩＤラベルのＵＩＤ、及び遊技台のシリアル番号と、操作部１１及び情報読取部１２から与えられたユニットのシリアル番号、ＲＦＩＤラベルのＵＩＤ、及び遊技台のシリアル番号とを出力部１８にて表示してもよい。
【００７３】
上述した処理を、ユニット２０ａ〜２０ｃの全てについて行う。
【００７４】
ここで、ユニット２０ａ〜２０ｃが不正分解されていない場合は、ユニット２０ａ〜２０ｃには同一のＲＦＩＤラベル３０ａ〜３０ｃが貼着されているはずである。そのため、ＲＦＩＤラベル３０ａ〜３０ｃに暗号化情報として書き込まれたＵＩＤが復号化された場合、復号化されたＵＩＤは、ステップＳ１１１にてＲＦＩＤラベル３０ａ〜３０ｃから読み取られたＲＦＩＤラベル３０ａ〜３０ｃのＵＩＤと一致することになる。また、同様に、ＲＦＩＤラベル３０ａ〜３０ｃに暗号化情報として書き込まれたユニットのシリアル番号が復号化された場合、復号化されたシリアル番号は、ステップＳ１１３にて操作部１１に入力されたユニット２０ａ〜２０ｃのシリアル番号２２ａ〜２２ｃと一致することになる。一方、ユニット２０ａ〜２０ｃが不正分解された場合は、ユニット２０ａ〜２０ｃには異なるＲＦＩＤラベル３０ａ〜３０ｃが貼着されている。そのため、ユニット２０ａ〜２０ｃに新たに貼着されたＲＦＩＤラベル３０ａ〜３０ｃに、上記同様にしてユニット２０ａ〜２０ｃのシリアル番号２２ａ〜２２ｃを暗号化して書き込んだ場合であっても、ＲＦＩＤラベル３０ａ〜３０ｃに暗号化情報として書き込まれたＵＩＤが復号化された場合、復号化されたＵＩＤはステップＳ１１１にてＲＦＩＤラベル３０ａ〜３０ｃから読み取られたＲＦＩＤラベル３０ａ〜３０ｃのＵＩＤとは一致しないことになる。
【００７５】
また、ユニット２０ａ〜２０ｃ内の基板２１ａ〜２１ｃが不正に取り替えられていない場合は、ユニット２０ａ〜２０ｃ内の基板２１ａ〜２１ｃに表示されたシリアル番号２２ａ〜２２ｃは同一となるはずである。そのため、ＲＦＩＤラベル３０ａ〜３０ｃに暗号化情報として書き込まれたユニットのシリアル番号が復号化された場合、復号化されたシリアル番号は、ステップＳ１１３にて操作部１１に入力されたユニット２０ａ〜２０ｃのシリアル番号２２ａ〜２２ｃと一致することになる。一方、ユニット２０ａ〜２０ｃ内の基板２１ａ〜２１ｃが不正に取り替えられた場合は、ユニット２０ａ〜２０ｃ内の基板２１ａ〜２１ｃに表示されたシリアル番号２２ａ〜２２ｃは異なるものとなる。そのため、ユニット２０ａ〜２０ｃからＲＦＩＤラベル３０ａ〜３０ｃをきれいに剥離してそのＲＦＩＤラベル３０ａ〜３０ｃをユニット２０ａ〜２０ｃに再度貼着した場合であっても、ＲＦＩＤラベル３０ａ〜３０ｃに暗号化情報として書き込まれたシリアル番号が復号化された場合、復号化されたシリアル番号はステップＳ１１３にて操作部１１に入力されたシリアル番号とは一致しないことになる。
【００７６】
このようにして、ケース２３ａ〜２３ｃ内に基板２１ａ〜２１ｃが収納されたユニット２０ａ〜２０ｃをＲＦＩＤラベル３０ａ〜３０ｃによって封印する際に、情報処理端末１１０を用いて、基板２１ａ〜２１ｃに表示されたユニット２０ａ〜２０ｃのシリアル番号２２ａ〜２２ｃとＲＦＩＤラベル３０ａ〜３０ｃのＵＩＤとを合わせて暗号化して暗号化情報としてＲＦＩＤラベル３０ａ〜３０ｃに書き込んでおき、その後、情報処理端末１１０を用いて、ＲＦＩＤラベル３０ａ〜３０ｃに書き込まれた暗号化情報を読み取って復号化し、復号化されたシリアル番号及びＲＦＩＤラベル３０ａ〜３０ｃのＵＩＤと、基板２１ａ〜２１ｃに表示されたユニット２０ａ〜２０ｃのシリアル番号及びＲＦＩＤラベル３０ａ〜３０ｃのＵＩＤとを照合することにより、ユニット２０ａ〜２０ｃからＲＦＩＤラベル３０ａ〜３０ｃが剥離されてユニット２０ａ〜２０ｃが不正分解されたかどうかを検出することができる。すなわち、データベースやそのデータベースにアクセスするための通信インフラ等を構築することなく、情報処理端末１１０のみで、ユニット２０ａ〜２０ｃとＲＦＩＤラベル３０ａ〜３０ｃとの対応づけを管理することができる。
【００７７】
また、遊技台４０に対してユニット２０ａ〜２０ｃが不正に取替えられていない場合は、ユニット２０ａ〜２０ｃに貼着されたＲＦＩＤラベル３０ａ〜３０ｃには、そのユニット２０ａ〜２０ｃが取り付けられた遊技台４０のシリアル番号がユニット２０ａ〜２０ｃのシリアル番号とＲＦＩＤラベル３０ａ〜３０ｃのＵＩＤと合わせて暗号化情報として書き込まれているはずである。そのため、ＲＦＩＤラベル３０ａ〜３０ｃに書き込まれた暗号化情報が復号化された場合、復号化された情報には、ステップＳ１１３にて入力されたユニット２０ａ〜２０ｃのシリアル番号とステップＳ１１１にてＲＦＩＤラベル３０ａ〜３０ｃから読み取られたＵＩＤとステップＳ１１４にてバーコード情報４１として読み取られて認識されたシリアル番号とが含まれていることになる。一方、遊技台４０に対してユニット２０ａ〜２０ｃが不正に取替えられた場合は、ユニット２０ａ〜２０ｃのシリアル番号２２ａ〜２２ｃと遊技台４０のシリアル番号とがＲＦＩＤラベル３０ａ〜３０ｃのＵＩＤと合わせて暗号化されてＲＦＩＤラベル３０ａ〜３０ｃには書き込まれていない。そのため、ＲＦＩＤラベル３０ａ〜３０ｃに書き込まれた暗号化情報が復号化された場合、復号化された情報は、ステップＳ１１３にて入力されたユニット２０ａ〜２０ｃのシリアル番号とステップＳ１１１にてＲＦＩＤラベル３０ａ〜３０ｃから読み取られたＵＩＤとステップＳ１１４にてバーコード情報４１として読み取られて認識されたシリアル番号とが対応づけて含まれていないことになる。
【００７８】
このようにして、ユニット２０ａ〜２０ｃを遊技台４０に取り付ける際に、情報処理端末１１０を用いて、基板２１ａ〜２１ｃに表示されたユニット２０ａ〜２０ｃのシリアル番号２２ａ〜２２ｃと遊技台４０のバーコード情報４１によるシリアル番号とをＲＦＩＤラベル３０ａ〜３０ｃのＵＩＤと合わせて暗号化して暗号化情報としてＲＦＩＤラベル３０ａ〜３０ｃに書き込んでおき、その後、情報処理端末１１０を用いて、ＲＦＩＤラベル３０ａ〜３０ｃに書き込まれた暗号化情報を読み取って復号化し、復号化された情報と、基板２１ａ〜２１ｃに表示されたユニット２０ａ〜２０ｃのシリアル番号及び遊技台４０のバーコード情報４１によるシリアル番号とを照合することにより、遊技台４０に対してユニット２０ａ〜２０ｃが不正に取替えられているかを検出することができる。すなわち、データベースやそのデータベースにアクセスするための通信インフラ等を構築することなく、情報処理端末１１０のみで、ユニット２０ａ〜２０ｃと遊技台４０との対応づけを管理することができる。
【００７９】
なお、本形態においては、基板２１ａ〜２１ｃに表示されたユニット２０ａ〜２０ｃのシリアル番号２２ａ〜２２ｃと遊技台４０のバーコード情報４１によるシリアル番号とＲＦＩＤラベル３０ａ〜３０ｃのＵＩＤとをユニット２０ａ〜２０ｃ毎に合わせて暗号化して暗号化情報としてＲＦＩＤラベル３０ａ〜３０ｃに書き込んでおき、その後、情報処理端末１１０を用いて、ＲＦＩＤラベル３０ａ〜３０ｃに書き込まれた暗号化情報を読み取って復号化し、復号化された情報と、基板２１ａ〜２１ｃに表示されたユニット２０ａ〜２０ｃのシリアル番号及び遊技台４０のバーコード情報４１によるシリアル番号とを照合することにより、遊技台４０に対してユニット２０ａ〜２０ｃが不正に取替えられているかを検出しているが、基板２１ａ〜２１ｃに表示されたユニット２０ａ〜２０ｃのシリアル番号２２ａ〜２２ｃの全てと遊技台４０のバーコード情報４１によるシリアル番号とＲＦＩＤラベル３０ａ〜３０ｃのＵＩＤの全てとを合わせて暗号化し、暗号化情報としてＲＦＩＤラベル３０ａ〜３０ｃの少なくとも１つに書き込んでおき、この情報を復号化し、復号化された情報と、基板２１ａ〜２１ｃに表示されたユニット２０ａ〜２０ｃのシリアル番号及び遊技台４０のバーコード情報４１によるシリアル番号とを照合することにより、遊技台４０に対してユニット２０ａ〜２０ｃが不正に取替えられているかを検出する構成とすることも考えられる。
【００８０】
また、上述した２つの実施の形態においては、照合部１７における照合結果が出力部１８に表示出力されるものを例に挙げて説明したが、照合部１７における照合結果に応じた音声を出力することも考えられる。
【００８１】
また、照合部１７における照合結果を出力部１８に表示出力するのではなく、復号化部１５にて復号された情報のみを出力部１８に表示出力し、作業者が、出力部１８に表示出力された情報と基板２１ａ〜２１ｃに表示されたユニット２０ａ〜２０ｃのシリアル番号２２ａ〜２２ｃとを目視で照合することも考えられる。
【００８２】
（第３の実施の形態）
上述した２つの実施の形態においては、ユニット２０，２０ａ〜２０ｃの不正分解や、遊技台４０に対するユニット２０ａ〜２０ｃの不正取替えを検出するものについて説明したが、物品に対応づけられたＲＦＩＤラベルに書き込まれた情報が正しいものであるかどうかを管理することも考えられる。
【００８３】
図８は、本発明の物品管理システムの第３の実施の形態を示す図である。
【００８４】
本形態は図８に示すように、ケース６２に収納された食材６１に関する情報が、ケース６２に貼着されたＲＦＩＤラベル３０に書き込まれており、この情報が正しいものであるかどうか、及び食材６１が不正に入れ替えられていないかどうかを、第２の実施の形態にて示した情報処理端末１１０にて管理するものである。
【００８５】
食材６１が収納されたケース６２には、食材６１固有の識別情報となるバーコード情報６３が表示されており、また、その接合部には、食材６１の産地や流通経路に関する情報が書き込まれたＲＦＩＤラベル３０が貼着されている。
【００８６】
このように構成された物品管理システムにおいては、食材６１の産地に関する情報をＲＦＩＤラベル３０に書き込む際、情報処理端末１１０において、ケース６２に表示されたバーコード情報６３とＲＦＩＤラベル３０のＵＩＤとを読み取り、上述した２つの実施の形態に示したものと同様に、これらを合わせて暗号化して暗号化情報としてＲＦＩＤラベル３０に書き込んでおく。
【００８７】
ケース６２に収納された食材６１の流通経路においては、その流通経路を示す情報がＲＦＩＤラベル３０に書き込まれていく。
【００８８】
その後、ＲＦＩＤラベル３０に書き込まれた食材６１の産地や流通経路に関する情報を読み取る際、情報処理端末１１０において、ＲＦＩＤラベル３０に書き込まれた暗号化情報を読み取って復号化し、また、ケース６２に表示されたバーコード情報６３、及びＲＦＩＤラベル３０のＵＩＤを読み取り、復号化された情報と読み取られたバーコード情報及びＵＩＤとを照合する。
【００８９】
これらの情報を照合した結果、両者が一致すれば、ＲＦＩＤラベル３０が食材６１の出荷当初からケース６２に貼着されていたものであるため、ＲＦＩＤラベル３０に書き込まれた食材６１の産地や流通経路に関する情報が正しいものと判断することができ、また、両者が一致しない場合は、ＲＦＩＤラベル３０が食材６１の流通途中において貼りかえられたものであるため、ＲＦＩＤラベル３０に書き込まれた食材６１の産地や流通経路に関する情報が正しくないものと判断することができる。
【００９０】
また、上述した第１及び第２の実施の形態にて示したものと同様にして、ＲＦＩＤラベル３０の剥離を検出することにより、食材６１の不正入れ替えを検出することができる。
【００９１】
なお、上述した３つの実施の形態において、ＲＦＩＤラベルに、別のＲＦＩＤのＵＩＤを上記同様に暗号化して書き込むことも考えられる。それにより、複数のＲＦＩＤラベル、あるいはＲＦＩＤラベルが貼着された複数の物品の対応づけを管理することができる。
【００９２】
また、上述した３つの実施の形態においては、１つの情報処理端末１０，１１０において、基板２１，２１ａ〜２１ｃのシリアル番号２２，２２ａ〜２２ｃとＲＦＩＤラベル３０，３０ａ〜３０ｃのＵＩＤ等とを合わせて暗号化して暗号化情報としてＲＦＩＤラベル３０，３０ａ〜３０ｃに書き込み、その後、ＲＦＩＤラベル３０，３０ａ〜３０ｃからこの暗号化情報を読み取って復号化するものを例に挙げて説明したが、上述したような情報を暗号化する情報処理端末と、ＲＦＩＤラベル３０，３０ａ〜３０ｃからこの暗号化情報を読み取って復号化する情報処理端末との２つの情報処理端末を用いる構成とすることも考えられる。
【００９３】
（第４の実施の形態）
図９は、本発明の物品管理システムの第４の実施の形態を示す図であり、（ａ）は全体の構成を示す図、（ｂ）は（ａ）に示した情報処理端末２１０の構成を示すブロック図である。
【００９４】
本形態は図９に示すように、図１に示したものに対して、情報処理端末２１０にて暗号化及び復号化処理を行わずに、ユニット２０内の基板２１に表示された識別情報となるシリアル番号２２と、このユニット２０のケース２３に貼着されたＲＦＩＤラベル３０の固有情報であるＵＩＤとを通信回線５０を介して送信し、これらを対応づけてデータベース５１に登録する点で異なるものである。
【００９５】
情報処理端末２１０は図９（ｂ）に示すように、操作部１１と、情報読取部１２と、照合部１７と、出力部１８と、通信部２１１とからなる。
【００９６】
操作部１１は、数字やアルファベットを入力可能な複数のキーボタンからなり、基板２１に表示されたユニット２０のシリアル番号２２を入力する入力部となるものである。
【００９７】
情報読取部１２は、ＲＦＩＤラベル３０に書き込まれた情報を非接触状態にて読み取り可能なものであって、ＲＦＩＤラベル３０に書き込まれたＵＩＤを読み取る。
【００９８】
通信部２１１は、操作部１１に入力されたシリアル番号と、情報読取部１２にて読み取られたＵＩＤとを対応づけて通信回線５０を介してデータベース５１に送信して登録し、また、データベース５１に登録されたこれらの情報を通信回線５０を介して取得する。
【００９９】
照合部１７は、操作部１１に入力されたユニット２０のシリアル番号２２と情報読取部１２にて読み取られたＲＦＩＤラベル３０のＵＩＤとの対応づけと、通信部２１１にてデータベース５１から取得したシリアル番号とＵＩＤとの対応づけとを照合する。
【０１００】
出力部１８は、照合部１７における照合結果を表示出力する。
【０１０１】
上記のように構成された物品管理システムにおいては、上述した第１の実施の形態と同様にユニット２０内の基板２１に表示されたシリアル番号２２が操作部１１に入力され、また、情報読取部１２にてＲＦＩＤラベル３０からＵＩＤが読み取られる。そして、これらは通信部２１１に与えられ、互いに対応づけられて通信回線５０を介してデータベース５１に送信されて登録される。
【０１０２】
図１０は、図９に示したデータベース５１の構成を示す図である。
【０１０３】
図１０に示すように、データベース５１においては、ＲＦＩＤラベル３０のＵＩＤと、このＲＦＩＤラベル３０が貼着されたユニット２０内の基板２１に表示されたシリアル番号２２とが対応づけて登録されている。なお、ＲＦＩＤラベル３０のＵＩＤには、そのＲＦＩＤラベル３０に対応づけられたユニット２０が複数である場合は、それら複数のユニット２０内の基板２１にそれぞれ表示されたシリアル番号が対応づけられている。
【０１０４】
その後、ユニット２０とＲＦＩＤラベル３０との対応づけを確認する場合は、ユニット２０内の基板２１に表示されたシリアル番号２２が操作部１１に入力されるとともに、情報読取部１２にてＲＦＩＤラベル３０からＵＩＤが読み取られ、また、通信部２１１において、データベース５１に登録された情報が通信回線５０を介して取得される。
【０１０５】
そして、照合部１７において、操作部１１に入力されたユニット２０のシリアル番号２２と情報読取部１２にて読み取られたＲＦＩＤラベル３０のＵＩＤとの対応づけと、通信部２１１にてデータベース５１から取得されたシリアル番号とＵＩＤとの対応づけとが照合され、その照合結果が出力部１８にて表示出力されることになる。
【０１０６】
なお、上述した４つの実施の形態においては、情報記録媒体としてＲＦＩＤラベル３０，３０ａ〜３０ｃの非接触型情報記録媒体を例に挙げて説明したが、情報記録媒体としては、接触端子を有して接触状態にて情報の書き込み及び読み出しを行うものであってもよい。ただし、上述した処理のしやすさの面から非接触状態にて情報の書き込み及び読み出しが可能な非接触型情報記録媒体であることが好ましい。
【０１０７】
また、本発明は、上述したような遊技台の不正分解対策や食材の流通管理に限らず、複数の物品の対応づけを管理するものであれば、様々なものに適用することができる。
【図面の簡単な説明】
【０１０８】
【図１】本発明の物品管理システムの第１の実施の形態を示す図であり、（ａ）は全体の構成を示す図、（ｂ）は（ａ）に示した情報処理端末の構成を示すブロック図である。
【図２】図１に示した物品管理システムにおいてユニットを組み立てる際の処理を説明するためのフローチャートである。
【図３】図１に示したＲＦＩＤラベルの記憶領域の構成を示す図である。
【図４】図１に示した物品管理システムにおいてユニットの不正分解を確認する際の処理を説明するためのフローチャートである。
【図５】本発明の物品管理システムの第２の実施の形態を示す図であり、（ａ）は全体の構成を示す図、（ｂ）は（ａ）に示した情報処理端末の構成を示すブロック図である。
【図６】図５に示した物品管理システムにおいてユニット及び遊技台を組み立てる際の処理を説明するためのフローチャートである。
【図７】図５に示した物品管理システムにおいてユニットの不正分解、及び遊技台に対するユニットの不正取替えを確認する際の処理を説明するためのフローチャートである。
【図８】本発明の物品管理システムの第３の実施の形態を示す図である。
【図９】本発明の物品管理システムの第４の実施の形態を示す図であり、（ａ）は全体の構成を示す図、（ｂ）は（ａ）に示した情報処理端末の構成を示すブロック図である。
【図１０】図９に示したデータベースの構成を示す図である。
【符号の説明】
【０１０９】
１０，１１０，２１０    情報処理端末
１１    操作部
１２    情報読取部
１３    暗号化部
１４    情報書込部
１５    復号化部
１６    鍵取得部
１７    照合部
１８    出力部
１９    バーコード読取部
２０，２０ａ〜２０ｃ    ユニット
２１，２１ａ〜２１ｃ    基板
２２，２２ａ〜２２ｃ    シリアル番号
２３，２３ａ〜２３ｃ，６２    ケース
３０，３０ａ〜３０ｃ    ＲＦＩＤラベル
３１，３２    記憶領域
４０    遊技台
４１，６３    バーコード情報
５０    通信回線
５１    データベース
６１    食材
２１１    通信部
【図１】
2008013269.tif 000003
【図２】
2008013269.tif 000004
【図３】
2008013269.tif 000005
【図４】
2008013269.tif 000006
【図５】
2008013269.tif 000007
【図６】
2008013269.tif 000008
【図７】
2008013269.tif 000009
【図８】
2008013269.tif 000010
【図９】
2008013269.tif 000011
【図１０】
2008013269.tif 000012